(57)【要約】【課題】  優れた美的外観を有するとともに、小型化が図られた携帯機器を提供する。【解決手段】  携帯電話機は、短辺と長辺とを有する略矩形形状の表面を含む筐体２と、筐体２内に収容されるＬＣＤ基板３１と、ＬＣＤ基板３１に取り付けられるカメラ部２１と、ＬＣＤ基板３１に設けられ、外部から電気的な接続を受けるコネクタ３５および３６とを備える。コネクタ３５および３６は、短辺が延びる方向（矢印３４に示す方向）においてカメラ部２１の両側にそれぞれ配置されている。【選択図】        図４
2005057554.tif 000002
【特許請求の範囲】
【請求項１】
短辺と長辺とを有する略矩形形状の主表面を含む第１の筐体と、
前記第１の筐体内に収容される第１の基板と、
前記第１の基板に取り付けられる撮像部と、
前記第１の基板に設けられ、外部から電気的な接続を受ける第１および第２の接続部とを備え、
前記第１および第２の接続部は、前記短辺が延びる方向において前記撮像部の両側にそれぞれ配置されている、携帯機器。
【請求項２】
前記第１の筐体に対して回動自在に取り付けられる第２の筐体と、
前記第２の筐体内に収容される第２の基板とをさらに備える、請求項１に記載の携帯機器。
【請求項３】
前記第１の接続部に接続される一方端と、前記第２の基板に接続される他方端とを含み、前記撮像部が実装される第１のフレキシブルプリント基板と、
前記第２の接続部に接続される一方端と、前記第２の基板に接続される他方端とを含む第２のフレキシブルプリント基板とをさらに備える、請求項２に記載の携帯機器。
【請求項４】
前記第１および第２のフレキシブルプリント基板は、部分的に前記第１の筐体と前記撮像部との間で挟まれている、請求項３に記載の携帯機器。
【請求項５】
前記第１および第２のフレキシブルプリント基板は、さらに、前記第１および第２の筐体の回動部分を通過する第１および第２の部分をそれぞれ含み、前記第１および第２の部分は、互いに重なって設けられている、請求項３または４に記載の携帯機器。
【請求項６】
前記第１の基板は、前記第１の基板の表面に形成された、発生するノイズが相対的に大きい第１の回路と、発生するノイズが相対的に小さい第２の回路とを含み、
前記第１の接続部は前記第１の回路に接続されており、前記第２の接続部は前記第２の回路に接続されている、請求項１から５のいずれか１項に記載の携帯機器。
【請求項７】
前記撮像部は、前記短辺が延びる方向において前記第１の筐体のほぼ中央に配置されている、請求項１から６のいずれか１項に記載の携帯機器。
【請求項８】
前記第１および第２の接続部は、前記長辺が延びる方向に配列された複数の接続端子をそれぞれ含む、請求項１から７のいずれか１項に記載の携帯機器。
【発明の詳細な説明】
【技術分野】
【０００１】
この発明は、一般的には、携帯機器に関し、より特定的には、カメラ機能を発揮する撮像部を備えた携帯機器に関する。
【背景技術】
【０００２】
従来、１つの筐体からなるストレートタイプの携帯電話機や、折り畳み可能に連結された２つの筐体からなるクラムシェルタイプの携帯電話機が広く普及しており、たとえば、特開２００１−４５１２３号公報には、クラムシェルタイプの携帯電話機として折り畳み可能な携帯通信端末装置が開示されている（特許文献１）。
【０００３】
また近年、これらのタイプの携帯電話機にカメラ機能を備えたものが販売されている。クラムシェルタイプの携帯電話機の場合、一般的には、一方の筐体に表示部（メイン表示部およびサブ表示部を含む）やカメラ機能を発揮する撮像部、その他レシーバなどが設けられており、他方の筐体に操作ボタンやマイクなどが設けられている。
【特許文献１】特開２００１−４５１２３号公報
【発明の開示】
【発明が解決しようとする課題】
【０００４】
このような携帯電話機に代表される携帯機器は、日常生活において持ち歩いて使用される。このため、通常の製品以上に小型化に対する要求が強い。しかし、携帯機器がカメラ機能を備える場合、そのカメラ機能を発揮する撮像部や、撮像部に接続される配線などを筐体内に収容しなければならない。このため、小型化の要求に応えることが困難となっている。
【０００５】
また一方、携帯機器が有する外観は、ユーザーの購買意欲を左右する大きな要因となっている。このため、携帯機器の美的外観を向上させることも強く求められている。
【０００６】
そこでこの発明の目的は、上記の課題を解決することであり、優れた美的外観を有するとともに、小型化が図られた携帯機器を提供することである。
【課題を解決するための手段】
【０００７】
この発明に従った携帯機器は、短辺と長辺とを有する略矩形形状の主表面を含む第１の筐体と、第１の筐体内に収容される第１の基板と、第１の基板に取り付けられる撮像部と、第１の基板に設けられ、外部から電気的な接続を受ける第１および第２の接続部とを備える。第１および第２の接続部は、短辺が延びる方向において撮像部の両側にそれぞれ配置されている。
【０００８】
このように構成された携帯機器によれば、第１および第２の接続部は、第１の筐体の短辺が延びる方向（以下、第１の筐体の短辺方向とも呼ぶ）において撮像部の両側にそれぞれ配置されているため、撮像部を第１の筐体の短辺方向の中央付近に設けやすくなる。この場合、撮像部が設けられていない第１の筐体の短辺方向の両端部で、第１の筐体の厚みを小さくする形状をとることができる。これにより、携帯機器を全体的に見た場合に、厚みが小さくスリムな印象を与える形状を実現することができる。また、第１および第２の接続部は、撮像部に対して第１の筐体の短辺方向に並んで配置されているため、第１の筐体の長辺が延びる方向（以下、第１の筐体の長辺方向とも呼ぶ）の空間が効率良く利用されている。このため、第１および第２の接続部が撮像部に対して第１の筐体の長辺方向に並んで配置されている場合と比較して、第１の筐体の長辺方向の長さを小さくすることができる。以上の理由から、美的外観の向上および小型化が図られた携帯機器を実現することができる。
【０００９】
また好ましくは、携帯機器は、第１の筐体に対して回動自在に取り付けられる第２の筐体と、第２の筐体内に収容される第２の基板とをさらに備える。このように構成された携帯機器によれば、回動自在に連結された第１および第２の筐体を備え、状況に応じて第１および第２の筐体を閉じた状態で使用したり、開いた状態で使用したりするクラムシェルタイプの携帯機器において、上述の効果を得ることができる。
【００１０】
また好ましくは、携帯機器は、第１の接続部に接続される一方端と、第２の基板に接続される他方端とを含み、撮像部が実装される第１のフレキシブルプリント基板と、第２の接続部に接続される一方端と、第２の基板に接続される他方端とを含む第２のフレキシブルプリント基板とをさらに備える。このように構成された携帯機器によれば、第２のフレキシブルプリント基板によって、第１および第２の基板間で信号のやり取りを行なう一方、第１のフレキシブルプリント基板によって、撮像部で得られた画像データを第１の基板および第２の基板に入力したり、第１の基板および第２の基板からの所定の信号を撮像部に送ったりすることができる。このように撮像部に関連する信号の伝達を主に第１のフレキシブルプリント基板で行ない、その他の信号の伝達を主に第２のフレキシブルプリント基板で行なうことによって、配線処理が煩雑になることを防止できる。
【００１１】
また好ましくは、第１および第２のフレキシブルプリント基板は、部分的に第１の筐体と撮像部との間で挟まれている。このように構成された携帯機器によれば、第１および第２のフレキシブルプリント基板を確実に位置決めすることができる。このため、第１および第２の筐体を回動させた時に第１および第２のフレキシブルプリント基板に負荷する引張り応力を低減させることができる。これにより、第１および第２のフレキシブルプリント基板による電気的な接続の信頼性を向上させることができる。
【００１２】
また好ましくは、第１および第２のフレキシブルプリント基板は、さらに、第１および第２の筐体の回動部分を通過する第１および第２の部分をそれぞれ含む。第１および第２の部分は、互いに重なって設けられている。このように構成された携帯機器によれば、第１および第２の部分が重なっていない場合と比較して、第１および第２の部分が通過するために必要な回動部分の幅を小さくすることができる。これにより、携帯機器の小型化をさらに図ることができる。
【００１３】
また好ましくは、第１の基板は、第１の基板の表面に形成された、発生するノイズが相対的に大きい第１の回路と、発生するノイズが相対的に小さい第２の回路とを含む。第１の接続部は第１の回路に接続されており、第２の接続部は第２の回路に接続されている。このように構成された携帯機器によれば、第１の回路から生じるノイズが、第２の回路に悪影響を与えることを防止できる。
【００１４】
また好ましくは、撮像部は、短辺が延びる方向において第１の筐体のほぼ中央に配置されている。このように構成された携帯機器によれば、撮像部が第１の筐体の短辺方向の中央からずれて配置されている場合と比較して、美的外観を向上させることができる。
【００１５】
また好ましくは、第１および第２の接続部は、長辺が延びる方向に配列された複数の接続端子をそれぞれ含む。このように構成された携帯機器によれば、第１および第２の接続部の長さは、接続端子が配列された方向の直交方向には小さくなるため、第１の筐体の短辺方向の長さを小さくすることができる。これにより、携帯機器の小型化をさらに図ることができる。
【発明の効果】
【００１６】
以上説明したように、この発明に従えば、優れた美的外観を有するとともに、小型化が図られた携帯機器を提供することができる。
【発明を実施するための最良の形態】
【００１７】
この発明の実施の形態について、図面を参照して説明する。
【００１８】
図１は、この発明の実施の形態における携帯電話機の開いた状態を示す斜視図である。図２は、図１中の携帯電話機を背面側から見た斜視図である。図３は、図１中の携帯電話機の閉じた状態を示す斜視図である。
【００１９】
図１から図３を参照して、携帯電話機１は、カメラ機能を有するクラムシェルタイプの携帯電話機である。携帯電話機１は、筐体２と、筐体２に対してヒンジ４を介して連結された筐体３とを備える。筐体２および３がヒンジ４を軸として角変位自在に動くことによって、携帯電話機１の形状は、図１および図２の開いた状態と図３の閉じた状態との間を変化する。ヒンジ４内には、筐体２と筐体３との間を電気的に接続するための図示されない可撓性基板（フレキシブルプリント基板）が組み込まれている。
【００２０】
図１を参照して、筐体２には、メイン表示部５が設けられている。メイン表示部５は、携帯電話機１を閉じた状態で内側に位置する表面２ａに設けられている。メイン表示部５は、液晶ディスプレイやＥＬ(electro luminescent）ディスプレイなどによって構成されており、表示ドライバ部を介して与えられる画像データに基づいて画像を表示する。また、メイン表示部５の上方には、通話時などに使用するレシーバ６が設けられている。
【００２１】
筐体３には、数字および文字を入力するためのキーなどから構成される入力ボタン群７と、携帯電話機１における各種設定／機能切替を行うための機能ボタン群８とが設けられている。これらのボタン群は、携帯電話機１を閉じた状態で内側に位置する筐体３の表面３ａに設けられている。
【００２２】
機能ボタン群８は、電源のＯＮ／ＯＦＦ切替を行う電源ボタン９、カメラ機能を能動化するために操作されるカメラボタン１０、カメラおよびメール機能とガイダンス表示とを行うメール／ガイダンス用ボタン１１、通話開始とスピーカ受話を行う開始／スピーカ受話ボタン１２、ならびに機能選択画面での上下左右選択と決定とを行う４方向ボタンと決定ボタンとで構成されるマルチガイドボタン１３を含む。筐体３の表面３ａには、入力ボタン群７の下方に位置して、通話用のマイク１４が設けられている。
【００２３】
図２および図３を参照して、筐体２の背面２ｂには、ヒンジ４に近接する位置にカメラ部２１が設けられている。背面２ｂは、携帯電話機１を閉じた状態で外側に露出する。背面２ｂには、カメラ部２１に近い位置から順に、ライト部２２と、サブ表示部２０と、シャッタボタン２３ならびに操作ボタン２４ａおよび２４ｂから構成されるボタン群とがさらに設けられている。
【００２４】
サブ表示部２０は、液晶ディスプレイやＥＬディスプレイなどによって構成されている。図中では、サブ表示部２０の表示可能領域を図１中のメイン表示部５よりも小さくして示しているが、大きくてもよく、また同じ大きさであってもよい。サブ表示部２０には、表示ドライバ部を介して与えられるカメラ部２１で撮影された画像データ、時刻、電波強度ならびにメール受信などを報知するためのキャラクタ画像などが表示される。
【００２５】
このようにメイン表示部５およびサブ表示部２０は、携帯電話機１を開いた状態において、携帯電話機１の外側に位置するように設けられている。また、メイン表示部５は、携帯電話機１を閉じた状態において携帯電話機１の内側に位置し、サブ表示部２０は、同様の状態において携帯電話機１の外側に位置するように設けられている。
【００２６】
カメラ部２１は、撮影レンズと、ＣＣＤ（charge coupled device）イメージセンサまたはＣＭＯＳ（complementary metal oxide semiconductor）イメージセンサなどの撮影素子と、ＲＧＢの３色のカラーフィルタとを備える。カメラ部２１では、被写体で反射されて撮影レンズに入射した光を、カラーフィルタを通してＲＧＢの３色光に変換し、ＲＧＢの３色光をそれぞれＣＣＤに入射させる。
【００２７】
ライト部２２は、カメラ部２１で撮影する際の補助光源として使われる。一般的には、補助光源にはキセノン管が用いられ、また最近では、ＲＧＢのＬＥＤ（light emitting diode）が用いられている。これらＬＥＤを同時発光させることによって、白色光の照明を得ることができる。
【００２８】
操作ボタン２４ａおよび２４ｂは、サブ表示部２０の表示情報を確認しながら各種のデータ設定または操作を行うためのボタンである。操作ボタン２４ａおよび２４ｂは、サブ表示部２０における情報の表示と連動して、各種機能設定、アドレス帳の表示または検索、ならびにメールの確認、表示および発信などをするために操作される。また、操作ボタン２４ａおよび２４ｂを操作することにより、撮影時のズームインまたはズームアウト動作や複数の画像を順送りしながらの表示または逆送りしながらの表示の動作などを行なわせることができる。
【００２９】
筐体３の背面３ｂには、アンテナ部２５、昇降可能なヘリカル部２６、バッテリを格納するバッテリ部２７および着信音を鳴らすためのスピーカ２８が設けられている。背面３ｂは、携帯電話機１を閉じた状態で外側に露出する。
【００３０】
携帯電話機１のカメラ部２１を用いて被写体の撮影を行う場合、ユーザーは、携帯電話機１を開いた状態と閉じた状態との２種類の状態で撮影を行なうことができる。携帯電話機１を開いた状態で撮影を行なう場合、ユーザーは、筐体３を持ってカメラ部２１を被写体に向ける。そして、メイン表示部５をファインダとして利用しながら、撮影される被写体の姿を確認し、カメラボタン１０を押下することによってシャッタをきる。このとき、筐体２の背面２ｂに設けられたシャッタボタン２３を使用しても良い。また、ユーザーがカメラ部２１を用いて自分を撮影する場合、ユーザーは、一般的に携帯電話機１を閉じた状態で撮影を行なう。この場合、ユーザーは、サブ表示部２０をファインダとして利用しながら、撮影される自分の姿を確認し、シャッタボタン２３を押下することによってシャッタをきる。
【００３１】
図４は、図１中の携帯電話機の筐体内を示す透視図である。図４は、開いた状態の携帯電話機１を内側（メイン表示部５側）から見た図である。図４を参照して、筐体２および３の内部には、各種のＩＣ（integrated circuit）や、そのＩＣ間をつなぐ配線、その他の電子電気部品が表面に設けられたＬＣＤ（liquid crystal display）基板３１およびメイン基板３２がそれぞれ収容されている。ＬＣＤ基板３１とメイン基板３２との間は、フレキシブルプリント基板（ＦＰＣ：flexible printed circuit）４１および４２によって電気的に接続されている。
【００３２】
筐体２は、薄型の直方体形状に形成されており、筐体２の表面２ａは、矢印３３に示す方向に延びる長辺と、矢印３４に示す方向に延びる短辺とを有する。その筐体２に収容されたＬＣＤ基板３１もまた、矢印３３に示す方向に延びる長辺と、矢印３４に示す方向に延びる短辺とを有する。ヒンジ４に向い合うＬＣＤ基板３１の短辺には、長方形形状の切欠き３１ｐが形成されている。その切欠き３１ｐには、フレキシブルプリント基板４１に実装されたカメラ部２１が位置決めされている。つまり、カメラ部２１は、フレキシブルプリント基板４１を介してＬＣＤ基板３１に取り付けられている。
【００３３】
カメラ部２１は、筐体２の互いに向い合う長辺からのそれぞれの距離がほぼ等しくなるように設けられている。つまり、カメラ部２１は、筐体２の短辺方向のほぼ中央に設けられている。この場合、通常のカメラのレンズ位置と変わらない位置にカメラ部２１を配置することができるため、携帯電話機１のデザイン性を向上させることができる。
【００３４】
ＬＣＤ基板３１の表面３１ａ（図１中のメイン表示部５に向い合う表面）には、ボードtoボードコネクタであるコネクタ３５および３６が設けられている。コネクタ３５および３６は、切欠き３１ｐを挟んで互いに対峙する位置に設けられている。カメラ部２１が切欠き３１ｐに位置決めされた状態で、コネクタ３５および３６は、カメラ部２１の両側に位置している。言い換えれば、筐体２の短辺が延びる矢印３４に示す方向において、コネクタ３５と、カメラ部２１と、コネクタ３６とが順に並んで設けられている。コネクタ３５および３６とカメラ部２１とは、筐体２の長辺が延びる矢印３３に示す方向において、ほぼ同じ長さに渡って設けられている。
【００３５】
メイン基板３２の表面３２ａ（図１中の入力ボタン群７および機能ボタン群８に向い合う表面）には、ＦＰＣ接点コネクタ３７が設けられており、表面３２ａの反対側の表面３２ｂ（図２中のバッテリ部２７に向い合う表面）には、図示しない別のＦＰＣ接点コネクタが設けられている。
【００３６】
図５は、図４中のＬＣＤ基板の一部を拡大して示す平面図である。図５を参照して、ＬＣＤ基板３１の表面３１ａには、ＬＣＤコントロールＩＣ、レギュレータＩＣおよび接写検出スイッチなどの各種の回路素子が形成されており、これらの回路素子からコネクタ３５および３６に向けて配線が延びている。
【００３７】
本実施の形態では、大きいノイズを発生しやすいＬＣＤコントロールＩＣやレギュレータＩＣからの回路、アドレスラインやデータラインの回路などは、コネクタ３５に接続されており、小さいノイズしか発生しない電源回路やグランド回路、シャッタボタン２３など各種ボタンからの信号を送信する回路、レシーバ６に向けて信号を送信する回路などは、コネクタ３６に接続されている。このように相対的に大きいノイズを発生する回路と相対的に小さいノイズを発生する回路とを、別々のコネクタに接続することによって、前者の回路から発生したノイズが後者の回路に悪影響を与えることを防止できる。
【００３８】
コネクタ３５および３６には、複数の接続端子６２および６１がそれぞれ設けられている。複数の接続端子６２および６１は、筐体２の長辺が延びる矢印３３に示す方向に並んで設けられている。接続端子６２および６１は多数設ける必要があるため、接続端子６２および６１を図４中の矢印３４に示す方向に配列した場合、筐体２の短辺の長さ（筐体２の幅）が大きくなってしまう。そこで、比較的スペースに余裕のある矢印３３に示す方向に接続端子６２および６１を配列することによって、筐体２の幅を小さくすることできる。これにより、携帯電話機１の小型化を図ることができる。
【００３９】
図６は、図４中のフレキシブルプリント基板を示す平面図である。図６を参照して、フレキシブルプリント基板４２は、可撓性を有する絶縁性フィルムと、その絶縁性フィルムの表面に形成された配線５０とによって構成されている。絶縁性フィルムは、たとえば、ポリエステルやポリイミドによって形成されている。スクリーン印刷法またはフォトレジスト法を用いることによって、その絶縁性フィルムの表面に所定のパターン形状を有する配線５０を形成することができる。なお、配線５０の表面には、回路の保護、電気的絶縁の確保、屈曲性の向上などを目的として、別の絶縁フィルムが接着されている。
【００４０】
フレキシブルプリント基板４２は、互いに平行に延びる一方端４２ｍおよび他方端４２ｎと、一方端４２ｍおよび他方端４２ｎの間を曲がりながら延びる中間部４２ｐとを有する形状に形成されている。一方端４２ｍの端部には、ボードtoボードコネクタであるコネクタ４４が設けられている。他方端４２ｎには、多数本の接続ピンが配列されてなる接続部４９が設けられている。コネクタ４４および接続部４９は、配線５０によって互いに接続されている。
【００４１】
図７は、図４中の別のフレキシブルプリント基板を示す平面図である。図７を参照して、フレキシブルプリント基板４１は、フレキシブルプリント基板４２と同様に、絶縁性フィルムと、その絶縁性フィルムの表面に形成された配線４６とによって構成されている。フレキシブルプリント基板４１は、互いに平行に延びる一方端４１ｍおよび他方端４１ｎと、一方端４１ｍおよび他方端４１ｎの間を曲がりながら延びる中間部４１ｐと、一方端４１ｍから中間部４１ｐが位置する方向とは反対方向に突出する部分４１ｋとを有する形状に形成されている。中間部４１ｐは、フレキシブルプリント基板４２の中間部４２ｐと比較して、幅および長さともほぼ等しくなるように形成されている。
【００４２】
一方端４１ｍの端部には、ボードtoボードコネクタであるコネクタ４３が設けられている。他方端４１ｎには、多数本の接続ピンが配列されてなる接続部４５が設けられている。部分４１ｋには、カメラ部２１が実装されている。コネクタ４３、接続部４５およびカメラ部２１の間は、配線４６によって互いに接続されている。
【００４３】
このようにフレキシブルプリント基板４１および４２は、一方の面のみに部品が設けられている。このため、フレキシブルプリント基板４１および４２の製造時、フレキシブルプリント基板４１および４２を構成する絶縁性フィルムを反転させて部品を半田等で取り付ける必要がない。これにより、製造工程を削減することができる。
【００４４】
図８は、図４中の２枚のフレキシブルプリント基板が組み合わされた状態を示す斜視図である。図６から図８を参照して、フレキシブルプリント基板４２の配線５０が形成された面とは反対側の表面５２と、フレキシブルプリント基板４１の配線４６が形成された面とは反対側の表面５３とが互いに向い合うように、フレキシブルプリント基板４１および４２が重ねられている。その状態において、図７中の２点鎖線４７に沿って、カメラ部２１が実装された部分４１ｋが折り曲げられており、さらに、図７中の２点鎖線４８に沿って、コネクタ４３が設けられた一方端４１ｍの部分が折り曲げられている。これにより、コネクタ４３、カメラ部２１およびコネクタ４４は、所定の間隔を隔てて並んだ状態に位置が決定されている。また、フレキシブルプリント基板４２の中間部４２ｐと、フレキシブルプリント基板４１の中間部４１ｐとは、互いに重なった状態に位置が決定されている。この状態のフレキシブルプリント基板４１および４２が、図５中に示すＬＣＤ基板３１の部分に取り付けられている。
【００４５】
なお、接着剤を用いて、フレキシブルプリント基板４２の表面５２とフレキシブルプリント基板４１の表面５３とを貼り合わせておけば、ＬＣＤ基板３１にフレキシブルプリント基板４１および４２を取り付ける際、作業を容易に行なうことができる。
【００４６】
図９は、図４中のＩＸ−ＩＸ線上に沿った断面図である。図１０は、図４中のＸ−Ｘ線上に沿った断面図である。図９および図１０を参照して、ＬＣＤ基板３１に設けられたコネクタ３５および３６が、フレキシブルプリント基板４１に設けられたコネクタ４３およびフレキシブルプリント基板４２に設けられたコネクタ４４にそれぞれ接続されている。つまり、ＬＣＤ基板３１の表面３１ａに形成された比較的大きいノイズを発生する回路であって、主にカメラ部２１に関連する回路が、フレキシブルプリント基板４１によって、メイン基板３２側と電気的に接続されている。また、比較的小さいノイズしか発生しない残りの回路が、フレキシブルプリント基板４２によって、メイン基板３２側と電気的に接続されている。
【００４７】
図６および図７中の、フレキシブルプリント基板４１の一方端４１ｍおよび部分４１ｋと、フレキシブルプリント基板４２の一方端４２ｍとが、カメラ部２１と筐体２との間に挟まれている。携帯電話機１を頻繁に開け閉めする場合であっても、このような構成をとることによって、コネクタ部分に過度な荷重がかかることを防止できる。これにより、フレキシブルプリント基板４１および４２の信頼性を向上させることができる。
【００４８】
フレキシブルプリント基板４１および４２の中間部４１ｐおよび４２ｐは、互いに重なり合いながら１回巻かれた状態で、図３中のヒンジ４の内部を通過している。この場合、中間部４１ｐおよび４２ｐが通過するヒンジ４の内部空間を小さく設定することができる。これにより、携帯電話機１の小型化を図ることができる。なお、中間部４１ｐと中間部４２ｐとは、完全に重なった状態である必要がなく、一部が重なった状態であっても上述の効果を得ることができる。
【００４９】
フレキシブルプリント基板４１の他方端４１ｎは、メイン基板３２の表面３２ａに設けられたＦＰＣ接点コネクタ３７に差し込まれ、フレキシブルプリント基板４２の他方端４２ｎは、メイン基板３２の表面３２ｂに設けられたＦＰＣ接点コネクタ３８に差し込まれている。これにより、他方端４１ｎおよび４２ｎに設けられた接続部４５および４９と、ＦＰＣ接点コネクタ３７および３８とが、それぞれ接続されている。
【００５０】
この発明の実施の形態における携帯機器としての携帯電話機１は、短辺と長辺とを有する略矩形形状の主表面としての表面２ａを含む第１の筐体としての筐体２と、筐体２内に収容される第１の基板としてのＬＣＤ基板３１と、ＬＣＤ基板３１に取り付けられる撮像部としてのカメラ部２１と、ＬＣＤ基板３１に設けられ、外部から電気的な接続を受ける第１および第２の接続部としてのコネクタ３５および３６とを備える。コネクタ３５および３６は、短辺が延びる方向（矢印３４に示す方向）においてカメラ部２１の両側にそれぞれ配置されている。
【００５１】
携帯電話機１は、筐体２に対して回動自在に取り付けられる第２の筐体としての筐体３と、筐体３内に収容される第２の基板としてのメイン基板３２とをさらに備える。携帯電話機１は、コネクタ３５に接続される一方端４１ｍと、メイン基板３２に接続される他方端４１ｎとを含み、カメラ部２１が実装される第１のフレキシブルプリント基板としてのフレキシブルプリント基板４１と、コネクタ３６に接続される一方端４２ｍと、メイン基板３２に接続される他方端４２ｎとを含む第２のフレキシブルプリント基板としてのフレキシブルプリント基板４２とをさらに備える。
【００５２】
フレキシブルプリント基板４１および４２は、部分的に筐体２とカメラ部２１との間で挟まれている。フレキシブルプリント基板４１および４２は、さらに、筐体２および３の回動部分を通過する中間部４１ｐおよび４２ｐをそれぞれ含む。中間部４１ｐおよび４２ｐは、互いに重なって設けられている。
【００５３】
ＬＣＤ基板３１は、ＬＣＤ基板３１の表面に形成された、発生するノイズが相対的に大きい第１の回路と、発生するノイズが相対的に小さい第２の回路とを含む。コネクタ３５は第１の回路に接続されており、コネクタ３６は第２の回路に接続されている。カメラ部２１は、短辺が延びる方向において筐体２のほぼ中央に配置されている。コネクタ３５および３６は、長辺が延びる方向（矢印３３に示す方向）に配列された複数の接続端子６２および６１をそれぞれ含む。
【００５４】
なお、本実施の形態では、携帯機器を携帯電話機１として説明を行なったが、本発明はこれに限定されない。携帯機器は、デジタルカメラや、カメラ機能を備えるＰＤＡ（personal digital assistants）、ノート型パソコンおよびワードプロセッサなどであってもよい。
【００５５】
このように構成された携帯電話機１によれば、コネクタ３５および３６をカメラ部２１の両側に配置することによって、カメラ部２１から筐体２の長辺までの距離を大きく設定する必要がなくなる。このため、筐体２の短辺方向の中央付近にカメラ部２１を配置した構造を容易にとることができる。これにより、携帯電話機１において、筐体２の厚みが小さく、全体としてスリムな印象を与える形状を実現することができる。
【００５６】
図１１は、図２中のＸＩ−ＸＩ線上に沿った断面図である。図１１を参照して、図中には、センターからオフセットされた位置に配置されたカメラ部１２１と、その場合の第１の筐体１０２とが２点鎖線で示されている。カメラ部１２１をセンターからオフセットされた位置に配置した場合、左右対象の形状を得るためにカメラ部１２１が有する高さによって筐体２の厚みＨが決定される。しかし、カメラ部２１をセンターに設けた本実施の形態の場合、カメラ部２１を設けた位置では筐体２の厚みが大きくなるものの、筐体２の両端では厚みを小さくすることができる。このため、全体として見た場合に、携帯電話機１をスリムな印象を与える形状にすることができる。
【００５７】
また、コネクタ３５および３６はカメラ部２１の両側に設けられているため、図４中の矢印３３に示す方向において筐体２内のスペースを有効に利用している。このため、筐体２の長辺方向の長さを小さくすることができる。これにより、携帯電話機１の小型化を図ることができる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５９】
【図１】この発明の実施の形態における携帯電話機の開いた状態を示す斜視図である。
【図２】図１中の携帯電話機を背面側から見た斜視図である。
【図３】図１中の携帯電話機の閉じた状態を示す斜視図である。
【図４】図１中の携帯電話機の筐体内を示す透視図である。
【図５】図４中のＬＣＤ基板の一部を拡大して示す平面図である。
【図６】図４中のフレキシブルプリント基板を示す平面図である。
【図７】図４中の別のフレキシブルプリント基板を示す平面図である。
【図８】図４中の２枚のフレキシブルプリント基板が組み合わされた状態を示す斜視図である。
【図９】図４中のＩＸ−ＩＸ線上に沿った断面図である。
【図１０】図４中のＸ−Ｘ線上に沿った断面図である。
【図１１】図２中のＸＩ−ＸＩ線上に沿った断面図である。
【符号の説明】
【００６０】
１  携帯電話機、２，３  筐体、２１  カメラ部、３１  ＬＣＤ基板、３２  メイン基板、３５，３６  コネクタ、４１，４２  フレキシブルプリント基板、４１ｍ，４２ｍ  一方端、４１ｎ，４２ｎ  他方端、４１ｐ，４２ｐ  中間部、６１，６２  接続端子。
【図１】
2005057554.tif 000003
【図２】
2005057554.tif 000004
【図３】
2005057554.tif 000005
【図４】
2005057554.tif 000006
【図５】
2005057554.tif 000007
【図６】
2005057554.tif 000008
【図７】
2005057554.tif 000009
【図８】
2005057554.tif 000010
【図９】
2005057554.tif 000011
【図１０】
2005057554.tif 000012
【図１１】
2005057554.tif 000013